(57)【要約】【課題】車両上下方向に高さのある大型のデッキカバー１０を閉じた際、車体に対するデッキカバー１０下部の位置ズレを抑制できる車両１の後部車体構造を提供することを目的とする。【解決手段】車両１の上部を覆う開閉ルーフ５、及びバックウインドウ部１２を格納部材として、車両上方からの格納部材の格納を許容する格納区画Ｓ１と、格納区画Ｓ１の開口を覆うデッキカバー１０と、デッキカバー１０を車両上方へ移動させるカバー開閉機構４０とを備えた車両１の後部車体構造であって、デッキカバー１０に、車幅方向に所定間隔を隔てた位置で車両上方へ向けて形成した左右一対のカバー側壁部１０３と、カバー側壁部１０３の上端を車幅方向に連結するとともに、開閉ルーフ５と車両前後方向で近接するカバーヘッダ部１０４とを備え、車体に対するカバー側壁部１０３の下部の位置を決定する左右一対の前方下部規制構造体６０を備えたことを特徴とする。【選択図】図１
2016150587.tif 000002
【特許請求の範囲】
【請求項１】
車両の上部を覆うルーフ、または／および前記ルーフよりも車両後方に位置するバックウインドウを格納部材として、
車両上方からの前記格納部材の格納を許容するとともに、車体に形成した格納区画と、
該格納区画の車両上方を開閉自在に覆うデッキカバーと、
該デッキカバーを車両上方へ移動させるカバー開閉手段とを備えた車両の後部車体構造であって、
前記デッキカバーに、
車幅方向に所定間隔を隔てた位置で車両上方へ向けて形成した左右一対のカバー側壁部と、
該カバー側壁部の上端を車幅方向に連結するとともに、前記ルーフと車両前後方向で近接するヘッダ部とを備え、
前記車体に対する前記カバー側壁部の下部の位置を決定する左右一対の位置決め手段を備えた
車両の後部車体構造。
【請求項２】
前記格納区画よりも車両前方側の前記車体に、
略車両上方へ延びるとともに、前記カバー側壁部の前部と車両前後方向で近接する左右一対のピラー部材を備え、
前記位置決め手段を、
前記ピラー部材の近傍に配置した
請求項１に記載の車両の後部車体構造。
【請求項３】
前記格納部材及び前記車体を連結するとともに、前記格納部材を前記格納区画に格納する格納手段を備え、
前記位置決め手段における前記カバー側壁部の下部側を、左右一対のカバー側位置決め部とし、
前記位置決め手段における車体側を、左右一対の車体側位置決め部として、
前記車体側位置決め部と、前記格納手段と、前記ピラー部材とを一体的に構成した
請求項２に記載の車両の後部車体構造。
【請求項４】
前記位置決め手段に、
車幅方向において当接する車幅方向当接部と、
車両上下方向において当接する上下方向当接部とを備えた
請求項１から請求項３のいずれか１つに記載の車両の後部車体構造。
【請求項５】
前記カバー開閉手段を、
前記デッキカバー及び前記車体を連結するカバーリンク部材と、
前記車体に装着固定されるとともに、前記カバーリンク部材を回動させるカバーリンク駆動部とで構成し、
前記位置決め手段を、
前記カバーリンク駆動部に対して車両前後方向に所定間隔を隔てた位置に配置した
請求項１から請求項４のいずれか１つに記載の車両の後部車体構造。
【発明の詳細な説明】
【技術分野】
【０００１】
この発明は、例えば、開閉自在な開閉ルーフを格納する格納区画を覆うとともに、車体に対して開閉自在に連結されたデッキカバーを備えたような車両の後部車体構造に関する。
【背景技術】
【０００２】
車両の形態の１つとして、乗員が乗り込む車室部の上部を開閉自在な開閉ルーフで覆った車両、所謂オープンカーがある。このような開閉ルーフを有する車両は、例えば、車両後部に形成した格納区画に、開閉ルーフを折り畳むようにして格納することで、車室部の上部を解放している。
【０００３】
例えば、特許文献１には、車両前方に位置する前部ルーフ（１１）、及び車両後方に位置するとともに、車体から立設した立設部（９）に後端が回転自在に支持された後部ルーフ（１２）で構成した開閉ルーフ（６）と、車体後部に開閉ルーフ（６）を格納する格納区画（２４）とを備えた車両が記載されている。
【０００４】
この特許文献１では、バックウインドウ（２８）が車両下方へ移動して車室内に格納されたのち、前部ルーフ（１１）と後部ルーフ（１２）との連結箇所を回転軸（１３）として、前部ルーフ（１１）が車両上方後方へ回動する。
【０００５】
その後、後方ルーフ（１２）と立設部（９）との連結箇所を回転軸（８）として前部ルーフ（１１）、及び後部ルーフ（１２）が一体的に車両後方上方へ回動することで、格納区画（２４）に格納することができるとされている。
【０００６】
このような開閉ルーフを有する車両において、開閉ルーフが格納される格納区画は、開閉ルーフの開閉状態に関わらず、車両の外観を損なうことがないように開閉自在なデッキカバーで覆われている。
【０００７】
この開閉自在なデッキカバーの開閉構造としては、例えば、特許文献１のように、デッキカバー（２５）の後端と車体とを回転自在に連結するヒンジによって、デッキカバー（２５）を回動させる開閉構造が知られている。
【０００８】
また、別のデッキカバーの開閉構造としては、例えば、デッキカバーと車体とを連結する複数のリンク部材と、リンク部材を回動させる駆動機構部とによって、車両上方へ持ち上がるようにデッキカバーを略平行移動させる開閉構造が知られている。
【０００９】
ところで、特許文献１のように、乗員の後方において車両上方へフィン状に隆起した隆起部（２７）を車幅方向に所定間隔を隔てて並置したデッキカバーの場合、略平板状のデッキカバーに比べて、その大きさが大きくなるため重量が重く、かつデッキカバーにおける重心位置も高くなり易い。
【００１０】
このように車両上下方向に高さのある大型のデッキカバーを、例えば、車両上方へ持ち上がるように略平行移動させて開閉した場合、風に煽られる、あるいはその大きさによってデッキカバーが揺れ動き易くなり、デッキカバーの開閉軌跡が安定し難いという問題があった。
【００１１】
さらに、例えば、車両前後方向で開閉ルーフと近接するとともに、隆起部を車幅方向に連結するヘッダ部を設けた場合、デッキカバーがより大型化することによって、デッキカバーの開閉軌跡がより安定し難くなるおそれがあった。
【００１２】
このため、デッキカバーを閉じた際、デッキカバーの下部が車体に接触することによる不具合、あるいは車体に対して捩れた状態でデッキカバーが閉じられることによる開閉不良などの不具合が生じるおそれがあった。
【先行技術文献】
【特許文献】
【００１３】
【特許文献１】国際公開第２００５／０６１２５３号
【発明の概要】
【発明が解決しようとする課題】
【００１４】
本発明は、上述の問題に鑑み、車両上下方向に高さのある大型のデッキカバーを閉じた際、車体に対するデッキカバー下部の位置ズレを抑制できる車両の後部車体構造を提供することを目的とする。
【課題を解決するための手段】
【００１５】
この発明は、車両の上部を覆うルーフ、または／および前記ルーフよりも車両後方に位置するバックウインドウを格納部材として、車両上方からの前記格納部材の格納を許容するとともに、車体に形成した格納区画と、該格納区画の車両上方を開閉自在に覆うデッキカバーと、該デッキカバーを車両上方へ移動させるカバー開閉手段とを備えた車両の後部車体構造であって、前記デッキカバーに、車幅方向に所定間隔を隔てた位置で車両上方へ向けて形成した左右一対のカバー側壁部と、該カバー側壁部の上端を車幅方向に連結するとともに、前記ルーフと車両前後方向で近接するヘッダ部とを備え、前記車体に対する前記カバー側壁部の下部の位置を決定する左右一対の位置決め手段を備えたことを特徴とする。
【００１６】
上記ルーフは、車両後方へ折り畳むように格納されるルーフであって、幌布や幌骨で構成したソフトトップ、あるいは金属製や樹脂製等のルーフで構成したハードトップとすることができる。もしくは車室部の上部に固定されたルーフとすることができる。
【００１７】
上記デッキカバーは、カバー側壁部とヘッダ部とで構成した正面視略門型形状のデッキカバー、あるいは正面視略山形形状に隆起したカバー側壁部とヘッダ部とで構成したデッキカバーなどとすることができる。  
上記カバー開閉手段は、電動や油圧駆動によってデッキカバーを開閉させる手段、あるいは手動によってデッキカバーを開閉させる手段とすることができる。
【００１８】
上記位置決め手段は、車幅方向に対する位置決め手段、車両上下方向に対する位置決め手段、あるいは車両前後方向に対する位置決め手段とすることができる。もしくは、これらを組み合わせた方向に対する位置決め手段とすることができる。
【００１９】
この発明により、車両上下方向に高さのある大型のデッキカバーを閉じた際、車体に対するデッキカバー下部の位置ズレを抑制することができる。  
具体的には、車体に対するカバー側壁部の下部の位置を決定する左右一対の位置決め手段により、車両の後部車体構造は、車体に対するデッキカバーの位置のズレ、特にカバー側壁部の下部における位置ズレを抑制することができる。
【００２０】
このため、車両の後部車体構造は、大型のデッキカバーを閉じた際、デッキカバーの下部が車体に接触することを防止できる。さらに、車両の後部車体構造は、車体とデッキカバーの下部とのクリアランスを略一定に保つことができるため、車両の見栄映えが損なわれることを防止できる。
【００２１】
加えて、位置決め手段によって車体に対するデッキカバーの位置ズレを抑制できるため、車両の後部車体構造は、リンク部材の機械的強度を向上した場合に比べて、車両後部における重量の増加を抑制することができる。
【００２２】
従って、車両の後部車体構造は、位置決め手段によって、車両上下方向に高さのある大型のデッキカバーを閉じた際、車体に対するデッキカバー下部の位置ズレを抑制することができる。
【００２３】
この発明の態様として、前記格納区画よりも車両前方側の前記車体に、略車両上方へ延びるとともに、前記カバー側壁部の前部と車両前後方向で近接する左右一対のピラー部材を備え、前記位置決め手段を、前記ピラー部材の近傍に配置することができる。
【００２４】
この発明により、車両の後部車体構造は、車体、及びピラー部材に対するデッキカバーの位置ズレを抑制することができる。  
具体的には、位置決め手段をピラー部材の近傍に配置したことにより、車両の後部車体構造は、ピラー部材に対するデッキカバーの位置ズレ、特にカバー側壁部の前部における位置ズレを抑制することができる。
【００２５】
これにより、車両の後部車体構造は、車体、及びピラー部材に対するデッキカバーの位置決めを、左右一対の位置決め手段で行うことができる。このため、車両の後部車体構造は、デッキカバーを閉じた際、車体、及びピラー部材とデッキカバーとが接触することをより確実に防止できる。
【００２６】
さらに、ピラー部材とカバー側壁部の前部とのクリアランスを安定して確保できるため、車両の後部車体構造は、車両の見栄えを向上することができる。加えて、例えば、ピラー部材とカバー側壁部の前部との間に介在するシール部材を設けた場合、車両の後部車体構造は、ピラー部材とカバー側壁部とのシール性を安定して確保することができる。
【００２７】
従って、車両の後部車体構造は、ピラー部材の近傍に位置決め手段を備えたことにより、車体、及びピラー部材に対するデッキカバーの位置ズレを抑制することができる。
【００２８】
またこの発明の態様として、前記格納部材及び前記車体を連結するとともに、前記格納部材を前記格納区画に格納する格納手段を備え、前記位置決め手段における前記カバー側壁部の下部側を、左右一対のカバー側位置決め部とし、前記位置決め手段における車体側を、左右一対の車体側位置決め部として、前記車体側位置決め部と、前記格納手段と、前記ピラー部材とを一体的に構成することができる。
【００２９】
この発明により、車両の後部車体構造は、車体に対するデッキカバーの組付け性を向上できるとともに、周辺部位との位置ズレを一体的に抑制することができる。  
具体的には、車体側位置決め部、格納手段、及びピラー部材をそれぞれ異なる車体の位置に組付けた場合、車体に対するデッキカバーの位置調整と、車体に対する格納部材の位置調整とを別々に行う必要がある。
【００３０】
これに対して、車体側位置決め部、格納手段、及びピラー部材を一体構成したことにより、車両の後部車体構造は、それぞれの相対位置を維持したまま車体に組付けることができる。これにより、車両の後部車体構造は、車体に対するデッキカバーの位置調整と、車体に対する格納部材の位置調整とを別々に行うことを不要にすることができる。
【００３１】
従って、車両の後部車体構造は、車体側位置決め部、格納手段、及びピラー部材を一体構成したことにより、車体に対するデッキカバー、及び格納部材の組付け性を向上できるとともに、デッキカバー、及び格納部材の位置ズレを一体的に抑制することができる。
【００３２】
またこの発明の態様として、前記位置決め手段に、車幅方向において当接する車幅方向当接部と、車両上下方向において当接する上下方向当接部とを備えることができる。
【００３３】
上記車幅方向当接部は、位置決め手段における車体側とデッキカバー側とが車幅方向で当接する部分とすることができる。  
上記上下方向当接部は、位置決め手段における車体側とデッキカバー側とが車両上下方向で当接する部分とすることができる。
【００３４】
この発明により、車両の後部車体構造は、車幅方向、及び車両上下方向へのデッキカバーの移動を規制でき、閉じた状態のデッキカバーを安定して保持することができる。  
具体的には、車両の後部車体構造は、位置決め手段の車幅方向当接部によって車幅方向へのデッキカバーの移動を規制することができる。
【００３５】
このため、車両の後部車体構造は、走行風などによる車幅方向へのデッキカバーのガタツキを防止することができる。これにより、車両の後部車体構造は、デッキカバーの下部と車体とが車幅方向で接触することを防止できる。
【００３６】
さらに、車両の後部車体構造は、位置決め手段の上下方向当接部によって、車両上下方向へのデッキカバーの移動を規制することができる。  
より詳しくは、例えば、位置決め手段における車体側に対して、位置決め手段におけるデッキカバー側が車両下方から当接する上下方向当接部の場合、車両の後部車体構造は、車両上方へのデッキカバーの移動を規制することができる。
【００３７】
このため、例えば、格納区画にルーフを格納した状態で走行した際、車両の後部車体構造は、受風した走行風によるデッキカバーの持ち上がりを、車両上方への移動を規制することで防止することができる。
【００３８】
あるいは、例えば、位置決め手段における車体側に対して、位置決め手段におけるデッキカバー側が車両上方から当接する上下方向当接部の場合、車両の後部車体構造は、車両下方へのデッキカバーの移動を規制することができる。このため、例えば、車両の後部車体構造は、車両下方への荷重がデッキカバーに加わったとしても、デッキカバーの下部が車体に接触することを防止できる。
【００３９】
さらに、例えば、格納区画にルーフを格納した状態で走行した際、車両の後部車体構造は、受風した走行風によるデッキカバーの持ち上がりを、車両下方への引張荷重を加えることで防止することができる。
【００４０】
これにより、車両の後部車体構造は、意図しない荷重がカバー開閉手段に加わることを防止するとともに、車両上下方向へのデッキカバーのガタツキを防止することができる。
【００４１】
つまり、車両の後部車体構造は、車幅方向における位置決めと、車両上下方向における位置決めとを、左右一対の位置決め手段によって同時に確実に行うことができる。このため、車両の後部車体構造は、閉じた状態におけるデッキカバーのガタツキを簡素な構成で防止して、デッキカバーと車体とが接触することをより確実に抑制できる。
【００４２】
従って、車両の後部車体構造は、車幅方向当接部と、上下方向当接部とを位置決め手段に備えたことにより、車幅方向、及び車両上下方向における位置決めを同時に行うことができるとともに、閉じた状態のデッキカバーを安定して保持することができる。
【００４３】
またこの発明の態様として、前記カバー開閉手段を、前記デッキカバー及び前記車体を連結するカバーリンク部材と、前記車体に装着固定されるとともに、前記カバーリンク部材を回動させるカバーリンク駆動部とで構成し、前記位置決め手段を、前記カバーリンク駆動部に対して車両前後方向に所定間隔を隔てた位置に配置することができる。
【００４４】
この発明により、車両の後部車体構造は、車体とデッキカバーとの位置ズレをより確実に抑制することができる。  
具体的には、カバーリンク駆動部から離間したデッキカバーの端部ほど開閉軌跡が安定し難いため、デッキカバーを閉じた際、車体とデッキカバーの端部との位置ズレが大きくなるおそれがある。
【００４５】
そこで、カバーリンク駆動部に対して車両前後方向に所定間隔を隔てた位置に位置決め手段を配置したことにより、車両の後部車体構造は、デッキカバーを閉じた際、デッキカバーにおける開閉軌跡が安定し難い部分の位置決めをより確実に行うことができる。
【００４６】
従って、車両の後部車体構造は、カバーリンク駆動部に対して離間した位置に位置決め手段を配置したことにより、車体とデッキカバーとの位置ズレをより確実に抑制することができる。
【発明の効果】
【００４７】
本発明により、車両上下方向に高さのある大型のデッキカバーが閉じた際、車体に対するデッキカバー下部の位置ズレを抑制できる車両の後部車体構造を提供することができる。
【図面の簡単な説明】
【００４８】
【図１】開閉ルーフを閉じた状態における車両の外観を示す外観斜視図。
【図２】開閉ルーフを開いた状態における車両の外観を示す外観斜視図。
【図３】デッキカバーを開いた状態における車両内側から見た開閉機構を示す側面図。
【図４】車両外側から見たルーフ開閉機構を示す側面図。
【図５】前方下部規制構造体における車幅方向に沿った断面を示す車幅方向断面図。
【図６】車両外側から見た車体側当接部材を示す要部外観斜視図。
【図７】前方上部規制構造体における車両前後方向に沿った断面を示す車両前後方向断面図。
【図８】実施例２における車両外側から見たルーフ開閉機構を示す側面図。
【図９】実施例２における前方下部規制構造体の車幅方向に沿った断面を示す車幅方向断面図。
【図１０】実施例２における車両外側から見た車体側当接部材を示す要部外観斜視図。
【発明を実施するための形態】
【００４９】
この発明の一実施形態を以下図面と共に説明する。  
【実施例１】
【００５０】
実施例１における車両１の後部車体構造について、図１から図７を用いて詳しく説明する。  
なお、図１は開閉ルーフ５を閉じた状態における車両１の外観斜視図を示し、図２は開閉ルーフ５を開いた状態における車両１の外観斜視図を示し、図３はデッキカバー１０を開いた状態における車両内側から見た開閉機構の側面図を示している。
【００５１】
さらに、図４は車両外側から見たルーフ開閉機構２０の側面図を示し、図５は前方下部規制構造体６０の車幅方向断面図を示し、図６は車両外側から見た車体側当接部材６２の要部外観斜視図を示し、図７は前方上部規制構造体７０の車両前後方向断面図を示している。
【００５２】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図１中の上方を車両上方とし、図１中の下方を車両下方とする。
【００５３】
まず、本実施例における車両１は、図１及び図２に示すように、前輪２やボンネット３が配設された車両前部４と、車両上部を開閉自在な開閉ルーフ５で覆うとともに、乗員が乗り込む車室部６と、後輪７や左右一対のリヤフェンダー８が配設された車両後部９とを、車両前方からこの順番で配置して構成している。
【００５４】
さらに、車両後部９は、図３に示すように、左右一対のリヤフェンダー８の間における車両前方側において、車両上方が開口した格納区画Ｓ１と、格納区画Ｓ１の開口を閉塞するデッキカバー１０とで構成した格納部分（図示省略）を備えている。
【００５５】
加えて、車両後部９には、図３に示すように、左右一対のリヤフェンダー８の間における車両後方側、すなわち格納区画Ｓ１の車両後方において、車両上方が開口した荷室区画Ｓ２と、荷室区画Ｓ２の開口を閉塞するトランクリッド１１とで構成した荷室部分（図示省略）を備えている。
【００５６】
そして、車両１は、図１から図３に示すように、車室部６の車両上方を覆う開閉ルーフ５、及び車室部６の車両後方に位置するバックウインドウ部１２を、格納区画Ｓ１に格納可能に構成した、所謂、オープンカーである。
【００５７】
より詳しくは、開閉ルーフ５は、図１から図３に示すように、車室部６の上部において、車両前方に位置するフロントルーフ５１と、フロントルーフ５１の後方に位置するリヤルーフ５２とで構成している。
【００５８】
フロントルーフ５１は、車両前後方向の長さが車室部６の上部の半分以上を占める長さであって、車体の外観意匠面であるアッパパネル５１１と、車両上下方向でアッパパネル５１１と対向するロアパネル５１２とを一体的に接合して形成している。このフロントルーフ５１の前端は、フロントウインドウガラス１３を支持するフロントウインドウ枠材１４の上部に対して着脱自在に構成している。
【００５９】
リヤルーフ５２は、前端がフロントルーフ５１に近接し、後端がデッキカバー１０（後述するデッキカバー１０のカバーヘッダ部１０４）に近接する大きさであって、車体の外観意匠面であるアッパパネル５２１と、車両上下方向でアッパパネル５２１と対向するロアパネル５２２とを一体的に接合して形成している。
【００６０】
なお、リヤルーフ５２には、フロントルーフ５１との隙間を閉塞する合成ゴム製のシール部材（図示省略）を前端に装着するとともに、デッキカバー１０（後述するデッキカバー１０のカバーヘッダ部１０４）との隙間を閉塞する合成ゴム製のシール部材５２３（図７参照）を後端に装着している。
【００６１】
バックウインドウ部１２は、図３に示すように、透過性を有するバックウインドウガラス１２１と、バックウインドウガラス１２１を支持するバックウインドウ枠材１２２と、バックウインドウ枠材１２２の外周縁に沿って装着されたウインドウシール部材１２３とで構成している。さらに、バックウインドウ枠材１２２の前面側には、車幅方向に並置するとともに、後述するルーフ開閉機構２０が連結する左右一対のブラケット１２４を装着固定している。
【００６２】
このような構成の開閉ルーフ５、及びバックウインドウ部１２を備えた車両１は、格納区画Ｓ１への開閉ルーフ５、及びバックウインドウ部１２の格納と、格納状態の開閉ルーフ５、及びバックウインドウ部１２の展開とを、左右一対のルーフ開閉機構２０によって実現可能に構成している。
【００６３】
ルーフ開閉機構２０は、図３に示すように、開閉ルーフ５、及びバックウインドウ部１２を支持する複数のルーフリンク部材と、複数のルーフリンク部材を回動させる左右一対のルーフリンク駆動部２３とで構成している。  
なお、複数のルーフリンク部材は、開閉ルーフ５、及びバックウインドウ部１２を格納区画Ｓ１に格納可能な構成であれば適宜の構成でよく、本実施例では一例として例示する。
【００６４】
複数のルーフリンク部材は、一例として、開閉ルーフ５のリヤルーフ５２とルーフリンク駆動部２３とを連結する左右一対の第１ルーフリンク２１、第１ルーフリンク２１の後端とバックウインドウ部１２とを連結する左右一対の第２ルーフリンク２２、及び第１ルーフリンク２１の前端と開閉ルーフ５のフロントルーフ５１とを連結する左右一対の第３ルーフリンク（図示省略）とで構成している。
【００６５】
第１ルーフリンク２１は、側面視略Ｔ字状のリンク部材であって、車両前後方向に延びる部分をリヤルーフ５２の車両外側端部に締結固定し、車両上下方向に延びる部分の下端をルーフリンク駆動部２３に連結している。
【００６６】
第２ルーフリンク２２は、側面視略帯状のリンク部材であって、前端を第１ルーフリンク２１の後端に回転自在に連結し、後端をバックウインドウ部１２のブラケット１２４に回転自在に連結している。  
第３ルーフリンクは、一端を第１ルーフリンク２１に上部に回転自在に連結し、他端をフロントルーフ５１に締結固定している。
【００６７】
ルーフリンク駆動部２３は、図３に示すように、車室部６の車両内側において、ドア１５（図１参照）の開口縁を構成するインナピラーパネル１６に対して、締結ボルト１７を用いて締結固定している。
【００６８】
このルーフリンク駆動部２３は、図４及び図５に示すように、車両内側に位置するインナハウジング２３１ａ、及び車両外側に位置するアウタハウジング２３１ｂで構成したハウジング２３の内部に、第１ルーフリンク２１が連結されるとともに、回転自在に軸支された大径ギヤ２３２、及び大径ギヤに歯合するとともに、回転自在に軸支された複数の駆動ギヤ対（図示省略）などを収容して構成している。
【００６９】
さらに、アウタハウジング２３１ｂには、駆動ギヤ対を回転駆動させる電気モーター２３３を配置している。  
なお、左右一対のルーフリンク駆動部２３は、車両右側と、車両左側とで同期して駆動するように、電気モーター２３３が制御されているものとする。
【００７０】
加えて、インナハウジング２３１ａには、図３に示すように、前部上端から車両上方へ延設したハウジング延設部２３４を備えている。このハウジング延設部２３４には、ドアガラス１８（図１参照）とデッキカバー１０との間に介在するピラー部材３０を、締結ボルト３１を用いて締結固定している。
【００７１】
ピラー部材３０は、図３及び図４に示すように、ハウジング延設部２３４に締結固定されるピラー芯材（図示省略）と、ピラー芯材に装着するとともに、ドアガラス１８とデッキカバー１０との隙間を閉塞する合成ゴム製のピラーシール部材３２と、車両１の外観意匠面であるピラーガーニッシュ３３（図１参照）とで構成している。
【００７２】
上述した構成のルーフ開閉機構２０は、開閉ルーフ５、及びバックウインドウ部１２を折り畳むように変位させて、格納区画Ｓ１に格納する。  
詳しくは、ルーフ開閉機構２０は、開閉ルーフ５、及びバックウインドウ部１２を格納区画Ｓ１に格納する乗員の操作に受付けると、ルーフリンク駆動部２３の電気モーター２３３が回転駆動して、第１ルーフリンク２１を車両後方へ回動開始させる。この際、第２ルーフリンク２２、及び第３ルーフリンクは、第１ルーフリンク２１の回動に連動して回動開始する。
【００７３】
そして、ルーフ開閉機構２０は、フロントルーフ５１の下面とリヤルーフ５２の下面とが車両上下方向で対向するように、リヤルーフ５２を車両前方下方に回動させる。さらに、ルーフ開閉機構２０は、前面側が車両上方を向くように、バックウインドウ部１２を回動させて、折り畳まれたリヤルーフ５２の下側に移動させる。
【００７４】
このようにして開閉ルーフ５、及びバックウインドウ部１２を折り畳みながら、ルーフ開閉機構２０は、開閉ルーフ５、及びバックウインドウ部１２を格納区画Ｓ１へ移動させる。  
この格納区画Ｓ１は、平面視において、開閉ルーフ５のフロントルーフ５１よりも大きい開口を車両上方に有するとともに、折り畳まれた状態の開閉ルーフ５、及びバックウインドウ部１２を収容可能な内部空間を有する大きさで構成している。
【００７５】
一方、格納区画Ｓ１の開口を覆うデッキカバー１０は、図１から図３に示すように、リヤフェンダー８から連続するように、車両上方へ向けて正面視略山形に隆起した左右一対のカバー隆起部１０１と、カバー隆起部１０１の下部を連結するとともに、トランクリッド１１と連続するカバー平面部１０２と、カバー隆起部１０１における車両外側を車両前方へ延設するとともに、ピラー部材３０に前端が近接する左右一対のカバー側壁部１０３と、カバー側壁部１０３の上端を車幅方向で連結するとともに、リヤルーフ５２に前端が近接するカバーヘッダ部１０４とで、正面視略門型形状に一体形成している。
【００７６】
そして、デッキカバー１０は、図３に示すように、車両上下方向におけるカバー平面部１０２とカバーヘッダ部１０４との間と、車幅方向におけるカバー隆起部１０１の間とで構成した開口を、バックウインドウ部１２が取外し可能に装着されるウインドウ開口部１０５として形成している。
【００７７】
このような形状のデッキカバー１０は、図３に示すように、車両１の外観意匠面である金属製のカバーアウタパネル１１１と、カバーアウタパネル１１１の内側に沿って覆うように形成した合成樹脂製のカバーインナパネル１１２とを組付けて構成している。
【００７８】
さらに、カバーヘッダ部１０４には、カバーアウタパネル１１１とは別体で、車両１の外観意匠面となるヘッダガーニッシュ１１３を、車両上方からカバーアウタパネル１１１に被せるようにして装着している。  
加えて、カバー側壁部１０３におけるカバーアウタパネル１１１の車両外側前部には、側面視略三角形状のサイドガーニッシュ１１４（図１及び図５参照）を装着している。
【００７９】
このような構成のデッキカバー１０を備えた車両１は、車両上方へのデッキカバー１０の移動による格納区画Ｓ１の解放と、車両下方へのデッキカバー１０の移動による閉塞とを、左右一対のカバー開閉機構４０によって実現可能に構成している。
【００８０】
カバー開閉機構４０は、図３に示すように、デッキカバー１０を支持する左右一対の前方カバーリンク４１、及び左右一対の後方カバーリンク４２と、前方カバーリンク４１を回動させる左右一対のカバーリンク駆動部４３とで構成している。
【００８１】
前方カバーリンク４１は、車両上下方向に延びる側面視略帯状であって、デッキカバー１０の下部に設けたカバーブラケット１１５の前端に、上端を回転自在に連結し、カバーリンク駆動部４３に下端を連結している。
【００８２】
後方カバーリンク４２は、車両上下方向に延びる側面視略帯状であって、前方カバーリンク４１よりも車両後方において、デッキカバー１０のカバーブラケット１１５に上端を回転自在に連結し、カバーリンク駆動部４３に下端を回転自在に連結している。
【００８３】
なお、デッキカバー１０のカバーブラケット１１５は、ウインドウ開口部１０５と略同等の車両前後方向の位置において、カバーインナパネル１１２を介してカバーアウタパネル１１１に設けた補強部材に締結固定している。  
カバーリンク駆動部４３は、リヤフェンダー８の車両内側部分を構成するフェンダーインナパネル８ａに締結固定している。
【００８４】
より詳しくは、カバーリンク駆動部４３は、デッキカバー１０が車両上方に移動した状態において、カバーブラケット１１５と前方カバーリンク４１との連結箇所に対して、車両前方に前方カバーリンク４１との連結箇所が位置するとともに、ルーフ開閉機構２０に対して車両後方に所定間隔を隔てた位置に締結固定している。
【００８５】
このカバーリンク駆動部４３は、前方カバーリンク４１が連結されるとともに、回転自在に軸支された大径ギヤ（図示省略）と、大径ギヤに歯合するとともに、回転自在に軸支された複数の駆動ギヤ対（図示省略）と、これらを収容保持するハウジングと、駆動ギヤ対を回転駆動させる電気モーター（図示省略）などで構成している。
【００８６】
さらに、カバーリンク駆動部４３の上部後端には、後方カバーリンク４２の下端を回転自在に連結している。つまり、カバー開閉機構４０は、前方カバーリンク４１を駆動リンクとし、後方カバーリンク４２を従属リンクとした四節リンク構造を構成している。
【００８７】
引き続き、上述したデッキカバー１０が閉じた状態において、車体に対するデッキカバー１０の位置を決定する位置決め手段について詳しく説明する。  
まず、車両１には、図１に示すように、第１の位置決め手段として、デッキカバー１０における前方下部の位置を規制する左右一対の前方下部規制構造体６０とを備えている。
【００８８】
さらに、第２の位置決め手段として、デッキカバー１０における前方上部の位置を規制する左右一対の前方上部規制構造体７０と、第３の位置決め手段として、デッキカバー１０における後部の位置を規制する左右一対の後部規制構造体８０とを備えている。
【００８９】
第１の位置決め手段である前方下部規制構造体６０は、図４及び図５に示すように、デッキカバー１０のカバーインナパネル１１２に凹設したカバー側当接部６１と、ルーフリンク駆動部２３に締結固定した車体側当接部材６２とで構成している。
【００９０】
カバー側当接部６１は、図５に示すように、車両上下方向における所定の位置から車両外側に略直角にカバーインナパネル１１２を屈曲して形成したカバー平面部分６１１と、カバー平面部分６１１の車両外側端部から車両下方外側へ傾斜して形成したカバー傾斜部分６１２とで一体形成している。
【００９１】
車体側当接部材６２は、図４に示すように、ピラー部材３０の車両後方近傍において、ルーフリンク駆動部２３におけるアウタハウジング２３１ｂの上部に締結固定している。
【００９２】
この車体側当接部材６２は、図５及び図６に示すように、アウタハウジング２３１ｂに固定される本体部６２１と、カバー側当接部６１のカバー傾斜部分６１２と車幅方向で当接する車幅方向規制部６２２と、カバー側当接部６１のカバー平面部分６１１と車両上下方向で当接する上下方向規制部６２３とで構成している。
【００９３】
本体部６２１は、車幅方向に所定の厚みを有するとともに、車両前後方向に長い側面視略長楕円形状に形成している。この本体部６２１における車両前後方向の両端には、ルーフリンク駆動部２３に螺合する締結ボルト６３の挿通を許容する開口孔（図示省略）を開口形成している。
【００９４】
車幅方向規制部６２２は、図５及び図６に示すように、本体部６２１における車両前後方向の略中央から車両外側へ突出した略柱状体であって、本体部６２１に一体形成している。
【００９５】
この車幅方向規制部６２２における車両外側端面は、上端に対して下端が車両外側に位置するように傾斜するとともに、デッキカバー１０が閉じた状態において、カバー側当接部６１のカバー傾斜部分６１２と車幅方向で当接する当接面６２２ａとして形成している。
【００９６】
上下方向規制部６２３は、図５及び図６に示すように、カバー側当接部６１のカバー平面部分６１１が当接する平面視略六角形のボルト頭部６２３ａと、外周にネジ山が形成されたボルト軸部６２３ｂとで、六角ボルト状に形成している。この上下方向規制部６２３は、本体部６２１の車両前方に設けたネジ孔（図示省略）に螺合するよう構成している。
【００９７】
そして、上下方向規制部６２３は、車両上下方向におけるデッキカバー１０の下端と車体との間が所定間隔となる車両上下方向の位置で、カバー側当接部６１のカバー平面部分６１１とボルト頭部６２３ａとが当接するように、本体部６２１のネジ孔に螺合している。
【００９８】
第２の位置決め手段である前方上部規制構造体７０は、図７に示すように、前方下部規制構造体６０の車両上方において、デッキカバー１０に設けた嵌合部材７１と、第１ルーフリンク２１に設けたリンク突部７２とで構成している。
【００９９】
嵌合部材７１は、後述するリンク突部７２の挿通を許容する大きさで車両下方側が開口したボックス状に形成している。この嵌合部材７１は、カバーヘッダ部１０４におけるカバーカバーインナパネル１１２に適宜の手段で装着固定している。
【０１００】
リンク突部７２は、嵌合部材７１に凹凸嵌合する側面視略矩形の平板状であって、第１ルーフリンク２１に一体形成している。より詳しくは、リンク突部７２は、デッキカバー１０が閉じた状態において、嵌合部材７１の開口と車両上下方向で対向する第１ルーフリンク２１の上端部分から車両上方へ向けて一体形成している。
【０１０１】
第３の位置決め手段である後部規制構造体８０は、図３に示すように、デッキカバー１０の後部下面に設けたフック部８１と、荷室部分の前部に設けたストライカ部８２とで構成している。  
フック部８１は、カバー隆起部１０１の後端下面に設けるとともに、車両前方側に開口を有する略鉤爪状に形成している。
【０１０２】
ストライカ部８２は、金属製柱状材を曲げ加工して正面視略門型形状に形成したストライカ（図示省略）を有するとともに、荷室部分の開口縁を形成する開口縁部１９の前部に配置している。
【０１０３】
この後部規制構造体８０は、ストライカ部８２にフック部８１が掛止した掛止状態のロックと、掛止状態のロック解除とを、乗員による開閉ルーフ５の開閉操作に連動して電気的に行うロック装置として構成している。
【０１０４】
以上のような構成を実現する車両１の後部車体構造は、車両上下方向に高さのある大型のデッキカバー１０を閉じた際、車体に対するデッキカバー１０下部の位置ズレを抑制することができる。
【０１０５】
具体的には、車体に対するカバー側壁部１０３の下部の位置を決定する左右一対の前方下部規制構造体６０により、車両１の後部車体構造は、車体に対するデッキカバー１０の位置のズレ、特にカバー側壁部１０３の下部における位置ズレを抑制することができる。
【０１０６】
このため、車両１の後部車体構造は、大型のデッキカバー１０を閉じた際、デッキカバー１０の下部が車体に接触することを防止できる。さらに、車両１の後部車体構造は、車体とデッキカバー１０の下部とのクリアランスを略一定に保つことができるため、車両１の見栄映えが損なわれることを防止できる。
【０１０７】
加えて、前方下部規制構造体６０によって車体に対するデッキカバー１０の位置ズレを抑制できるため、車両１の後部車体構造は、前方カバーリンク４１及び後方カバーリンク４２の機械的強度を向上した場合に比べて、車両後部９における重量の増加を抑制することができる。
【０１０８】
従って、車両１の後部車体構造は、前方下部規制構造体６０によって、車両上下方向に高さのある大型のデッキカバー１０が閉じた際、車体に対するデッキカバー１０下部の位置ズレを抑制することができる。
【０１０９】
また、ピラー部材３０の近傍に前方下部規制構造体６０を配置したことにより、車両１の後部車体構造は、車体、及びピラー部材３０に対するデッキカバー１０の位置ズレを抑制することができる。
【０１１０】
具体的には、前方下部規制構造体６０をピラー部材３０の近傍に配置したことにより、車両１の後部車体構造は、ピラー部材３０に対するデッキカバー１０の位置ズレ、特にカバー側壁部１０３の前部における位置ズレを抑制することができる。
【０１１１】
これにより、車両１の後部車体構造は、車体、及びピラー部材３０に対するデッキカバー１０の位置決めを、左右一対の前方下部規制構造体６０で行うことができる。このため、車両１の後部車体構造は、デッキカバー１０を閉じた際、車体、及びピラー部材３０と、デッキカバー１０とが接触することをより確実に防止できる。
【０１１２】
さらに、ピラー部材３０とカバー側壁部１０３の前部とのクリアランスを安定して確保できるため、車両１の後部車体構造は、車両１の見栄えを向上することができる。加えて、ピラーシール部材３２をデッキカバー１０で安定して押圧することができるため、車両１の後部車体構造は、ピラー部材３０とカバー側壁部１０３とのシール性を安定して確保することができる。
【０１１３】
従って、車両１の後部車体構造は、ピラー部材３０の近傍に前方下部規制構造体６０を備えたことにより、車体、及びピラー部材３０に対するデッキカバー１０の位置ズレを抑制することができる。
【０１１４】
また、車体側当接部材６２と、ルーフリンク駆動部２３と、ピラー部材３０とを一体的に構成したことにより、車両１の後部車体構造は、車体に対するデッキカバー１０の組付け性を向上できるとともに、周辺部位との位置ズレを一体的に抑制することができる。
【０１１５】
具体的には、車体側当接部材６２、ルーフリンク駆動部２３、及びピラー部材３０をそれぞれ異なる車体の位置に組付けた場合、車体に対するデッキカバー１０の位置調整と、車体に対する開閉ルーフ５、及びバックウインドウ部１２の位置調整とを別々に行う必要がある。
【０１１６】
これに対して、車体側当接部材６２、ルーフリンク駆動部２３、及びピラー部材３０を一体構成したことにより、車両１の後部車体構造は、それぞれの相対位置を維持したまま車体に組付けることができる。
【０１１７】
これにより、車両１の後部車体構造は、車体に対するデッキカバー１０の位置調整と、車体に対する開閉ルーフ５、及びバックウインドウ部１２の位置調整とを別々に行うことを不要にすることができる。
【０１１８】
従って、車両１の後部車体構造は、車体側当接部材６２、ルーフリンク駆動部２３、及びピラー部材３０を一体構成したことにより、車体に対するデッキカバー１０、開閉ルーフ５、及びバックウインドウ部１２の組付け性を向上できるとともに、デッキカバー１０、開閉ルーフ５、及びバックウインドウ部１２の位置ズレを一体的に抑制することができる。
【０１１９】
また、車幅方向においてカバー傾斜部分６１２と車幅方向規制部６２２とが当接するとともに、車両上下方向においてカバー平面部分６１１と上下方向規制部６２３との当接する構成の前方下部規制構造体６０により、車両１の後部車体構造は、車幅方向、及び車両下方向へのデッキカバー１０の移動を規制でき、閉じた状態のデッキカバー１０を安定して保持することができる。
【０１２０】
具体的には、車両１の後部車体構造は、前方下部規制構造体６０のカバー傾斜部分６１２と車幅方向規制部６２２の当接面６２２ａとが当接することによって、車幅方向へのデッキカバー１０の移動を規制することができる。
【０１２１】
このため、車両１の後部車体構造は、走行風などによる車幅方向へのデッキカバー１０のガタツキを防止することができる。これにより、車両１の後部車体構造は、デッキカバー１０の下部と車体とが車幅方向で接触することを防止できる。
【０１２２】
さらに、車両１の後部車体構造は、前方下部規制構造体６０のカバー平面部分６１１と上下方向規制部６２３とが当接することによって、車両下方向へのデッキカバー１０の移動を規制することができる。
【０１２３】
より詳しくは、車体側当接部材６２の上下方向規制部６２３に対して、カバー側当接部６１のカバー平面部分６１１が車両上方から当接するため、車両１の後部車体構造は、車両下方へのデッキカバー１０の移動を規制することができる。
【０１２４】
このため、例えば、車両１の後部車体構造は、車両下方への荷重がデッキカバー１０に加わったとしても、デッキカバー１０の下部が車体に接触することを防止できる。
【０１２５】
さらに、格納区画Ｓ１に開閉ルーフ５を格納した状態で走行した際、車両１の後部車体構造は、受風した走行風によるデッキカバー１０の持ち上がりを、カバー開閉機構４０が車両下方への引張荷重を加えることで防止することができる。
【０１２６】
これにより、車両１の後部車体構造は、意図しない荷重がカバー開閉機構４０に加わることを防止するとともに、車両上下方向へのデッキカバー１０のガタツキを防止することができる。
【０１２７】
つまり、車両１の後部車体構造は、車幅方向における位置決めと、車両下方向における位置決めとを、左右一対の前方下部規制構造体６０によって同時に確実に行うことができる。このため、車両１の後部車体構造は、閉じた状態におけるデッキカバー１０のガタツキを簡素な構成で防止して、デッキカバー１０と車体とが接触することをより確実に抑制できる。
【０１２８】
従って、車両１の後部車体構造は、前方下部規制構造体６０により、車幅方向、及び車両上下方向における位置決めを同時に行うことができるとともに、閉じた状態のデッキカバー１０を安定して保持することができる。
【０１２９】
また、カバー開閉機構４０のカバーリンク駆動部４３に対して車両前後方向に所定間隔を隔てた位置に、前方下部規制構造体６０を配置したことにより、車両１の後部車体構造は、車体とデッキカバー１０との位置ズレをより確実に抑制することができる。
【０１３０】
具体的には、カバーリンク駆動部４３から離間したデッキカバー１０の端部ほど開閉軌跡が安定し難いため、デッキカバー１０を閉じた際、車体とデッキカバー１０の端部との位置ズレが大きくなるおそれがある。
【０１３１】
そこで、カバーリンク駆動部４３に対して車両前後方向に所定間隔を隔てた位置に、前方下部規制構造体６０を配置したことにより、車両１の後部車体構造は、デッキカバー１０を閉じた際、デッキカバー１０における開閉軌跡が安定し難い部分の位置決めをより確実に行うことができる。
【０１３２】
従って、車両１の後部車体構造は、カバーリンク駆動部４３に対して離間した位置に前方下部規制構造体６０を配置したことにより、車体とデッキカバー１０との位置ズレをより確実に抑制することができる。
【０１３３】
また、左右一対の前方下部規制構造体６０に加えて、左右一対の前方上部規制構造体７０、及び左右一対の後部規制構造体８０を備えたことにより、車両１の後部車体構造は、車体に対するデッキカバー１０の位置決めを複数箇所で行うことができる。
【０１３４】
すなわち、車両１の後部車体構造は、前方下部規制構造体６０によって、デッキカバー１０の下部の位置ズレを抑制し、前方上部規制構造体７０によってデッキカバー１０の上部の位置ズレを抑制し、後部規制構造体８０によってデッキカバー１０の後部の位置ズレを抑制することができる。
【０１３５】
従って、車両１の後部車体構造は、左右一対の前方下部規制構造体６０、左右一対の前方上部規制構造体７０、及び左右一対の後部規制構造体８０の協働によって、車体に対するデッキカバー１０の位置ズレをより確実に抑制することができる。
【実施例２】
【０１３６】
次に、上述した実施例１に対して、第１の位置決め手段である前方下部規制構造体の構成が異なる車両１の後部車体構造について、図８から図１０を用いて詳しく説明する。
【０１３７】
なお、図８は実施例２における車両外側から見たルーフ開閉機構２０の側面図を示し、図９は実施例２における前方下部規制構造体９０の車幅方向断面図を示し、図１０は実施例２における車両外側から見た車体側当接部材９２の要部外観斜視図を示している。  
さらに、上述した実施例１と同様の構成は、同じ符号を付して、その詳細な説明を省略する。
【０１３８】
実施例２における前方下部規制構造体９０は、図８及び図９に示すように、デッキカバー１０のカバーインナパネル１１２に突設したカバー側当接部９１と、ルーフリンク駆動部２３に締結固定した車体側当接部材９２とで構成している。
【０１３９】
カバー側当接部９１は、図９に示すように、車両内側に向けて膨出したカバー嵌合部分９１１と、カバーインナパネル１１２の傾斜部分であるカバー傾斜部分９１２とを、車両前方からこの順番で並置して一体形成している。
【０１４０】
カバー嵌合部分９１１は、車幅方向に沿った断面が断面略Ｌ字状のボックス状に形成している。このカバー嵌合部分９１１における後面には、車両上下方向に長い略長楕円状の長楕円孔９３を開口形成している。  
カバー傾斜部分９１２は、上端に対して下端が車両外側に位置するとともに、デッキカバー１０を閉じた際、車体側当接部材９２が車幅方向で当接するように形成している。
【０１４１】
車体側当接部材９２は、図８から図１０に示すように、側面視略台形状であって、ピラー部材３０よりも車両後方において、ルーフリンク駆動部２３におけるアウタハウジング２３１ｂの上部に締結固定している。
【０１４２】
この車体側当接部材９２の車両外側には、図９及び図１０に示すように、カバー側当接部９１のカバー嵌合部分９１１が嵌合する凹部９２１と、カバー側当接部９１のカバー傾斜部分９１２と車幅方向で当接する膨出部９２２とを、車両前方からこの順番で形成している。
【０１４３】
凹部９２１は、車体側当接部材９２の前部において、車両内側へ向けて側面視略矩形に凹設して形成している。さらに、凹部９２１の後面には、車両前方へ向けて突出したロック部９４を備えている。
【０１４４】
ロック部９４は、車両上下方向に長い正面視略長楕円形状の柱状体であって、カバー側当接部９１の長楕円孔９３に挿通可能な大きさに形成している。このロック部９４は、車体側当接部材９２の内部に設けたソレノイド（図示省略）によって、デッキカバー１０の開閉動作に連動して、車両前後方向に出没可能に構成している。
【０１４５】
より詳しくは、ロック部９４は、デッキカバー１０が閉じた状態では、カバー側当接部９１の長楕円孔９３に挿通した状態であり、デッキカバー１０が開く際、車両後方へ移動して長楕円孔９３から離脱する。そして、デッキカバー１０が閉じた際、ロック部９４は、車両前方へ移動して、カバー側当接部９１の長楕円孔９３に挿通するよう構成している。
【０１４６】
膨出部９２２は、車体側当接部材９２の後部において、車両外側へ向けて側面視略半円状に膨出した形状に形成している。この膨出部９２２における車両外側端面は、上端に対して下端が車両外側に位置するように傾斜するとともに、デッキカバー１０が閉じた状態において、カバー傾斜部分９１２と車幅方向で当接する当接面９２２ａとして形成している。
【０１４７】
以上のような構成を実現する車両１の後部車体構造は、上述の実施例１と同様に、車両上下方向に高さのある大型のデッキカバー１０を閉じた際、車体に対するデッキカバー１０下部の位置ズレを抑制することができる。
【０１４８】
さらに、長楕円孔９３に挿通する車体側当接部材９２のロック部９４により、カバー側当接部９１とロック部９４とが車両上下方向で当接するため、車両１の後部車体構造は、車両上下方向へのデッキカバー１０の移動を規制することができる。
【０１４９】
これにより、格納区画Ｓ１に開閉ルーフ５を格納した状態で走行した際、車両１の後部車体構造は、受風した走行風によるデッキカバー１０の持ち上がりを、車両上方への移動を規制することで防止することができる。  
さらに、車両下方への意図しない荷重がデッキカバー１０に加わったとしても、車両１の後部車体構造は、デッキカバー１０の下部が車体に接触することを防止できる。
【０１５０】
このため、車両１の後部車体構造は、意図しない荷重がカバー開閉機構４０に加わることを防止するとともに、車両上下方向へのデッキカバー１０のガタツキを防止することができる。
【０１５１】
つまり、車両１の後部車体構造は、車幅方向における位置決めと、車両上下方向における位置決めとを、左右一対の前方下部規制構造体９０によって同時に確実に行うことができる。このため、車両１の後部車体構造は、閉じた状態におけるデッキカバー１０のガタツキを簡素な構成で防止して、デッキカバー１０と車体とが接触することをより確実に抑制できる。
【０１５２】
従って、車両１の後部車体構造は、前方下部規制構造体９０によって、車幅方向、及び車両上下方向における位置決めを同時に行うことができるとともに、閉じた状態のデッキカバー１０を安定して保持することができる。
【０１５３】
なお、上述した実施例１及び実施例２において、フロントルーフ５１、及びリヤルーフ５２で構成したハードトップの開閉ルーフ５としたが、これに限定せず、幌布や幌骨で構成したソフトトップの開閉ルーフであってもよい。
【０１５４】
また、開閉ルーフ５、及びバックウインドウ部１２を格納区画Ｓ１に格納する構成の車両１としたが、これに限定せず、デッキカバー１０にバックウインドウ部１２を装着固定し、開閉ルーフ５を格納区画Ｓ１に格納する構成の車両としてもよい。あるいは、車室部６の上部を覆うとともに、車体に固定された固定ルーフとし、バックウインドウ部１２を格納区画Ｓ１に格納する構成の車両としてもよい。
【０１５５】
カバー隆起部１０１、カバー平面部１０２、カバー側壁部１０３、及びカバーヘッダ部１０４とで構成したデッキカバー１０としたが、これに限定せず、正面視略山形形状に隆起した左右一対のカバー隆起部と、カバー隆起部の下部を車幅方向に連結するカバー平面部と、カバー隆起部の上端を車幅方向に連結するカバーヘッダ部とで構成したデッキカバーであってもよい。
【０１５６】
また、電気モーター２３３で駆動するカバー開閉機構４０としたが、これに限定せず、油圧駆動によってデッキカバー１０を開閉するカバー開閉機構としてもよい。あるいは、車体に対して回転自在に軸支された前方カバーリンク、及び後方カバーリンクでカバー開閉機構を構成し、乗員の手動操作によってデッキカバー１０を開閉する構成としてもよい。
【０１５７】
また、デッキカバー１０が開閉する際、デッキカバー１０の移動を案内する案内部を備えた左右一対の前方下部規制構造体としてもよい。同様に、左右一対の前方上部規制構造体、及び左右一対の後部規制構造体に、デッキカバー１０の移動を案内する案内部を備えてもよい。
【０１５８】
また、フック部８１、及びストライカ部８２で構成した後部規制構造体８０としたが、これに限定せず、例えば、車体側に設けた凹部と、デッキカバー１０側に設けた凸部とが凹凸嵌合することで、デッキカバー１０における後部の位置を規制する後部規制構造体としてもよい。
【０１５９】
この発明の構成と、上述の実施形態との対応において、
この発明のルーフは、実施形態の開閉ルーフ５に対応し、
以下同様に、
バックウインドウは、バックウインドウ部１２に対応し、
格納部材は、開閉ルーフ５、及びバックウインドウ部１２に対応し、
カバー開閉手段は、カバー開閉機構４０に対応し、
ヘッダ部は、カバーヘッダ部１０４に対応し、
位置決め手段は、前方下部規制構造体６０，９０に対応し、
格納手段は、ルーフ開閉機構２０に対応し、
カバー側位置決め部は、カバー側当接部６１，９１に対応し、
車体側位置決め部は、車体側当接部材６２，９２に対応し、
車幅方向当接部は、カバー傾斜部分６１２と車幅方向規制部６２２の当接面６２２ａとの当接部分、及びカバー傾斜部分９１２と膨出部９２２の当接面９２２ａとの当接部分に対応し、
上下方向当接部は、カバー平面部分６１１と上下方向規制部６２３との当接部分、及び長楕円孔９３とロック部９４との当接部分に対応し、
カバーリンク部材は、前方カバーリンク４１、及び後方カバーリンク４２に対応するが、
この発明は、上述の実施形態の構成のみに限定されるものではなく、多くの実施の形態を得ることができる。
【符号の説明】
【０１６０】
１…車両
５…開閉ルーフ
１０…デッキカバー
１２…バックウインドウ部
２０…ルーフ開閉機構
３０…ピラー部材
４０…カバー開閉機構
４１…前方カバーリンク
４２…後方カバーリンク
４３…カバーリンク駆動部
６０…前方下部規制構造体
６１…カバー側当接部
６２…車体側当接部材
９０…前方下部規制構造体
９１…カバー側当接部
９２…車体側当接部材
９３…長楕円孔
９４…ロック部
１０３…カバー側壁部
１０４…カバーヘッダ部
６１１…カバー平面部分
６１２…カバー傾斜部分
６２２…車幅方向規制部
６２２ａ…当接面
６２３…上下方向規制部
９１２…カバー傾斜部分
９２２…膨出部
９２２ａ…当接面
Ｓ１…格納区画
【図１】
2016150587.tif 000003
【図２】
2016150587.tif 000004
【図３】
2016150587.tif 000005
【図４】
2016150587.tif 000006
【図５】
2016150587.tif 000007
【図６】
2016150587.tif 000008
【図７】
2016150587.tif 000009
【図８】
2016150587.tif 000010
【図９】
2016150587.tif 000011
【図１０】
2016150587.tif 000012